(57)【特許請求の範囲】
【請求項１】
第１の編糸および第２の編糸を含んで編成した下半身用衣類であって、
前記第１の編糸は、ウレタン系弾性糸の芯糸に非弾性糸の捲糸を巻着させたカバリング糸であって、
前記第２の編糸は、非弾性糸の生糸と非弾性糸のウーリー糸とが添え糸編みにより形成された糸であり、
前記下半身用衣類にベア弾性糸を含まないことを特徴とする下半身用衣類。
【請求項２】
前記ウレタン系弾性糸はポリウレタン弾性糸であって、
前記第１の編糸における前記非弾性糸および前記第２の編糸における前記非弾性糸は、ナイロン糸であることを特徴とする請求項１に記載の下半身用衣類。
【請求項３】
前記第１の編糸は、ウレタン系弾性糸の芯糸に非弾性糸の捲糸を巻着方向が逆方向に二重に巻着させたダブルカバリング糸であることを特徴とする請求項１または請求項２に記載の下半身用衣類。
【請求項４】
前記ウーリー糸は、双糸であることを特徴とする請求項１〜請求項３のいずれかに記載の下半身用衣類。
【請求項５】
前記下半身用衣類は、タイツ、ストッキングおよびパンティストッキングのいずれかであることを特徴とする請求項１〜請求項４のいずれかに記載の下半身用衣類。
【発明の詳細な説明】
【技術分野】
【０００１】
本発明は、タイツまたはパンティストッキングに代表される下半身用衣類（パンティストッキング型およびレッグ部のみのタイツまたはストッキング、ショートストッキング、靴下、フットカバー、スパッツ等）に関し、特に、編目構造が乱れにくくムラが目立ちにくい薄手（商品における厚み表記として３０〜４０デニール程度）で透明感のあるタイツ（透明感のあるタイツをシアータイツと記載する場合がある）に代表される下半身用衣類に関する。
【背景技術】
【０００２】
近年の生活習慣上、人が靴を履くときに足に装着する衣類としての靴下を多くの人々が使用している。そのような衣類の中で、特に、女性の下半身を覆うタイツおよびストッキングは、外出時における女性の脚部の保護および保温さらには脚線美の向上の観点等から、広く世間に浸透している。
現在市販されているほとんどのタイツおよびストッキングは、ナイロン糸、または、ナイロン糸とポリウレタン糸とで編まれている。使用している糸により、「交編」および「ゾッキ」の２種類に大別される。
【０００３】
交編（交編編み）は、ナイロン糸と、サポート糸（ポリウレタン糸にナイロン糸を巻き付けたカバリング糸）を交互に使用して編成する。ある程度のサポート（弾性）力および透明感の両方を求めるときに好適である。種類が異なる２種類の糸を使用するため（構造上どうしても）横縞模様が表れやすい。
ゾッキ（ゾッキ編み）は、一般的にはサポート糸（ポリウレタン糸にナイロン糸を巻き付けたカバリング糸）だけで編成されているものが多い。良好なフィット性を求めるときに好適である。また、いわゆる伝線（使用中に編み組織の一部に引掛傷ができ糸が切れると生成される編組織が解編されたはしご状の線）が発生しにくいという特徴を備えたゾッキ編みのストッキングが、最近では増えてきている。
【０００４】
上述した伝線を防止するストッキングが実用新案登録第３１５５８６３号公報（特許文献１）に開示されている。この特許文献１は、２種類の糸を使用して編成するために伝線の発生を防止できない交編タイプのストッキングとは異なるゾッキタイプのストッキングを開示する。このストッキングは、地糸としてポリウレタン糸を芯糸にしたカバリング糸を使用してゾッキ編みにより編成されてなることを特徴とする。
【先行技術文献】
【特許文献】
【０００５】
【特許文献１】実用新案登録第３１５５８６３号公報
【発明の概要】
【発明が解決しようとする課題】
【０００６】
特許文献１に開示されたゾッキ編みをシアータイツに適用すると、以下のような問題がある。たとえば、４４デシテックスのカバリング糸であって２２デシテックスのポリウレタン弾性糸を芯糸として３３デシテックス／４０〜６８フィラメントのナイロン糸を捲着させたカバリング糸（のみのゾッキタイプ）でプレーン編みしたシアータイツは、芯糸であるポリウレタン弾性糸の弾性力の影響が強く発現してしまい、編目構造（ループ形状）が乱れやすく、かつ、置寸（平台に平置きした時の寸法）も小さくなる。このため、このようなゾッキタイプのシアータイツを履くときに大きく履き口等を広げなければならず、タイツを履いた後に指で伸ばした跡が履きムラとして見えてしまう。さらに詳しくは、指を履き口に入れて広げながら足を挿入するので、その広げた部分に力が作用して、ポリウレタン弾性糸の弾性力の影響が強く発現して乱れやすい編目構造（ループ形状）がさらに乱れてしまい、指で伸ばした編目構造（ループ形状）の部分が履きムラとして残ってしまう。
【０００７】
本発明は、従来技術の上述の問題点に鑑みて開発されたものであり、その目的とするところは、編目構造が乱れにくく履きムラが目立ちにくいために透明感がある薄手のタイツ
に代表される下半身用衣類を提供することである。
【課題を解決するための手段】
【０００８】
上記目的を達成するため、本発明に係る下半身用衣類は以下の技術的手段を講じている。
すなわち、本発明に係る下半身用衣類は、第１の編糸および第２の編糸を含んで編成した下半身用衣類であって、前記第１の編糸は、ウレタン系弾性糸の芯糸に非弾性糸の捲糸を巻着させたカバリング糸であって、前記第２の編糸は、非弾性糸と非弾性糸のウーリー糸とが添え糸編みにより形成された糸であることを特徴とする。
【０００９】
好ましくは、前記ウレタン系弾性糸はポリウレタン弾性糸であって、前記第１の編糸における前記非弾性糸および前記第２の編糸における前記非弾性糸は、ナイロン糸であるように構成することができる。
さらに好ましくは、前記第１の編糸は、ウレタン系弾性糸の芯糸に非弾性糸の捲糸を巻着方向が逆方向に二重に巻着させたダブルカバリング糸であるように構成することができる。
【００１０】
さらに好ましくは、前記ウーリー糸は、双糸であるように構成することができる。
さらに好ましくは、前記下半身用衣類は、タイツ、ストッキングおよびパンティストッキングのいずれかであるように構成することができる。
【発明の効果】
【００１１】
本発明に係る下半身用衣類によれば、編目構造が乱れにくく履きムラが目立ちにくく透明感がある薄手のタイツに代表される下半身用衣類を提供することができる。
【図面の簡単な説明】
【００１２】
【図１】本発明の実施の形態に係るタイツの概略正面図である。
【図２】図１のタイツを編成するカバリング糸を説明するための図である。
【図３】図１のタイツの編み組織を示す図面代用写真である。
【図４】図３のタイツの編み組織の構成を模式的に示す図である。
【図５】従来例であるゾッキ編みされたタイツの編み組織を示す図面代用写真である。
【図６】図５のタイツの編み組織の構成を模式的に示す図である。
【発明を実施するための形態】
【００１３】
以下、本発明の実施の形態として、下半身用衣類の一例であるタイツ１を、図面に基づき詳しく説明する。なお、本発明は、このタイツ１のレッグ部２に好適に適用される。
［下半身用衣類］
図１に、本実施の形態に係るシアータイツ（以下において単にタイツ１と記載する）の概略正面図を示す。このタイツ１は、腹部および臀部を被覆するパンティ部３と、脚を被覆するレッグ部２とを備えるものである。このタイツ１は、筒状に編成された１対の編地を用い、パンティ部３に相当する部分に切れ目を入れて裁断縁どうしをつき合わせて股部４を縫着して一体化することにより製造される。また、足部の爪先部は周知の手段により、袋状に縫着することにより製造される。
【００１４】
なお、本発明において、対象をタイツ（特に、透明感のあるタイツであるシアータイツ、薄手のタイツ）としているが、部分的にその機能を備えたスパッツ等を含むこと、および、タイツよりも一般的に薄手のストッキングを含むこと、その他の下半身用衣類を含むことは、技術分野で上述した通りである。
［編地］
本実施の形態に係るタイツ１を構成する編地は、図２（Ａ）に示すカバリング糸（ＳＣＹ：Ｓｉｎｇｌｅ  Ｃｏｖｅｒｅｄ  Ｙａｒｎ）５（編み組織におけるカバリング糸５１）を第１の編糸として用いて、かつ、非弾性糸と非弾性糸のウーリー糸とが添え糸編みにより形成された糸を第２の編糸（編み組織における非弾性糸５２）として用いて、編み組織として図３および図４に示すように平編ループで編成された編地８（伸縮性平編地（プレーン編地））で構成される。より具体的には、第１の編糸として、ウレタン系弾性糸（たとえばポリウレタン弾性糸６（６１））の芯糸に非弾性糸（たとえばナイロン糸７（７
１））の捲糸を巻着させたカバリング糸５１を用いて、第２の編糸として、非弾性糸（たとえばナイロン糸７２）と非弾性糸のウーリー糸（たとえばウーリーナイロン糸７２Ａとウーリーナイロン糸７２Ｂとで構成されるウーリーナイロン双糸７２Ｓであるが双糸でなくても構わない）が添え糸編みされることにより形成された非弾性糸５２を用いた、という特徴を有する編地であれば特に制限されるものではなく、平編地、ゴム編地、パール編地等の編地を好適に用いることができ、その変化組織として、タック編、浮編、パイル編、レース編とすることもできる。
【００１５】
さらに、第１の編糸として用いてＳＣＹに代えてダブルカバリング糸（ＤＣＹ：Ｄｏｕｂｌｅ  Ｃｏｖｅｒｅｄ  Ｙａｒｎ）であっても構わない。このダブルカバリング糸５Ｄは、図２（Ｂ）に示すように、ポリウレタン弾性糸６の芯糸に、非弾性糸の一例であるナイロン糸７Ａおよびナイロン糸７Ｂが、その巻着方向が逆方向（Ｓ撚りおよびＺ撚り）になるように二重に巻着されている。捲糸であるナイロン糸は、下撚りの捲糸であるナイロン糸７Ａおよび上撚りの捲糸であるナイロン糸７Ｂで構成される。このように巻着方向が逆方向（Ｓ撚りおよびＺ撚り）になるように二重に巻着されたダブルカバリング糸は、撚り（方向性）が存在しないので下半身衣類を編成したときの斜行段が発生しない点で好ましい。以下においては、カバリング糸はＳＣＹであるとして説明するが、図３のみカバリング糸はＤＣＹ（ダブルカバリング糸５Ｄ）である。
【００１６】
ここで、図４においては、ポリウレタン弾性糸６１およびナイロン糸７１を、それぞれモノフィラメントとして表しているが、ポリウレタン弾性糸６１もナイロン糸７１もマルチフィラメントであっても構わない。
また、図４においては、ナイロン糸７２ならびにウーリーナイロン双糸７２Ｓを構成するウーリーナイロン糸７２Ａおよびウーリーナイロン糸７２Ｂを、それぞれモノフィラメントとして表しているが、ナイロン糸７２もウーリーナイロン糸７２Ａもウーリーナイロン糸７２Ｂもマルチフィラメントであっても構わない。ただし、ナイロン糸７２は生糸（なまいと）であることが好ましい。ここで、生糸（なまいと）とは、合成繊維の長繊維であって（ここではナイロン糸）、撚糸および仮撚加工をしてない、紡糸された糸そのままを表すものである。
【００１７】
なお、図４における全ての繊維の繊度および相対的な繊度は、現実のものと異なる場合がある。
ここで、図３は軽く伸張させた状態の編み組織の拡大写真であって、図４は、軽く伸張させた状態の編み組織を模式的に表した理想的な図である。このため、図４（ならびに後述する図６）は、あくまでも理想的（模式的、対称的）に記載されたものであって、平編ループからなる編地８におけるカバリング糸５１を構成するポリウレタン弾性糸６１およびナイロン糸７１の状態、ならびに、平編ループからなる編地８における非弾性糸５２を構成するナイロン糸７２およびウーリーナイロン双糸７２Ｓ（ウーリーナイロン糸７２Ａおよびウーリーナイロン糸７２Ｂ）の状態は、現実のもの（図３）と異なっている。
【００１８】
このタイツ１の特徴的な構成は、大略的には、ウレタン系弾性糸の芯糸に非弾性糸の捲糸を巻着させたカバリング糸５１（第１の編糸）と、非弾性糸と非弾性糸のウーリー糸とが添え糸編みにより形成された非弾性糸５２（第２の編糸）とを交互に用いて編成したことである。本実施の形態においては、第２の編糸は、ウレタン系弾性糸を含まない非弾性糸のみで構成された非弾性糸５２であって、非弾性糸であるナイロン糸７２と非弾性糸のウーリー糸であるウーリーナイロン双糸７２Ｓ（ウーリーナイロン糸７２Ａとウーリーナイロン糸７２Ｂとで構成）が添え糸編みされることにより形成されている。
【００１９】
図３および図４に示すように、平編ループからなる編地８は、ウレタン系弾性糸であるポリウレタン弾性糸６１を芯糸として、非弾性糸であるナイロン糸７１を捲糸として巻き付けた、第１の編糸であるカバリング糸５１（芯糸がポリウレタン弾性糸６１で捲糸がナイロン糸７１）および第２の編糸である非弾性糸５２（ナイロン糸７２とウーリーナイロン双糸７２Ｓとを添え糸編み）の２種類で編成したため、ゾッキ編みに対する交編編みで編成されていることになる。なお、上述したように、ゾッキ編みとは編糸の構成が１種類のサポート糸（同じポリウレタン糸に同じナイロン糸を同じように（同じドラフト率で単
位長さあたり同じ巻き数で）巻き付けたカバリング糸）だけで編成するものであるため、このように編糸の構成が異なる第１の編糸（カバリング糸５１）および第２の編糸（非弾性糸５２）を用いた平編ループからなる編地８は、ゾッキ編みに対する交編編みとなる。
【００２０】
［編糸］
以下において、第１の編糸であるカバリング糸５１および第２の編糸である非弾性糸５２について詳しく説明する。
まず、カバリング糸５１を構成する、芯糸であるウレタン系弾性糸（ポリウレタン弾性糸６１）および捲糸である非弾性糸（ナイロン糸７１）について詳しく説明する。
【００２１】
カバリング糸５１の芯糸を構成するウレタン系弾性糸としては、エーテル結合を持つエーテルタイプであってもエステル結合を持つエステルタイプであっても構わない。その繊度は、パワー（緊縛力）が強すぎることなく最適なパワーとなる範囲のものであれば特に限定されない。
なお、このポリウレタン弾性糸６１のフィラメント数はモノフィラメントおよびマルチフィラメントのいずれでもよく、さらに、このポリウレタン弾性糸６１の繊度およびフィラメント数は、（最適なパワーとなる範囲のものであれば）特に限定されるものではなく、通常、薄手のタイツに用いられる繊度であれば構わない（たとえば３３デシテックス）。
【００２２】
カバリング糸５１の捲糸を構成する非弾性糸としては、ポリウレタン弾性糸６１の周囲に被覆される非弾性糸として好適に使用できる糸であればよいが、このような非弾性糸としては、ナイロン糸７１が代表的に使用できる。
なお、このナイロン糸７１のフィラメント数はモノフィラメントおよびマルチフィラメントのいずれでもよく、さらに、このナイロン糸７１の繊度は、特に限定されるものではなく、通常、薄手のタイツに用いられる繊度であれば構わない。
【００２３】
次に、非弾性糸５２を構成する、ナイロン糸７２およびウーリーナイロン双糸７２Ｓについて詳しく説明する。
これらのナイロン糸７２およびウーリーナイロン双糸７２Ｓは、上述したカバリング糸５１と同様に限定されるものではないが、繊度としては、ナイロン糸７２として１３デシテックスのナイロン生糸（なまいと）が、ウーリーナイロン双糸７２Ｓとして４４デシテックスのナイロン糸が用いられ、フィラメント数は適宜設定される。本実施の形態においては、非弾性糸５２として単にナイロン糸を採用したものではなく（さらには、ナイロンの生糸（なまいと）を単に採用したものでもなく、ナイロンのウーリー糸を単に採用したものでもなく）、非弾性糸５２としてナイロンの生糸（なまいと）とナイロンのウーリー糸とを添え糸編み（プレーティング編み）した点（さらには弾性糸を含まない点）が大きな特徴である。
【００２４】
［編地の詳細構造および作用効果］
以上のようなカバリング糸５１および非弾性糸５２により編成された平編地の構造および作用効果について、図３および図４を参照して説明する。
なお、比較のために、従来例であるゾッキ編みされた薄手のタイツの編み組織を図５および図６に示す。この従来例であるゾッキ編みの編み組織は、４４デシテックスのカバリング糸であって２２デシテックスのポリウレタン弾性糸を芯糸として３３デシテックスのナイロン糸を捲着させたカバリング糸（のみのゾッキタイプ）でプレーン編みした編地１８である。ここで、図５は図３に、図６は図４に、それぞれ対応する。
【００２５】
本実施の形態に係る編地８を示す図３および図４と、従来例に係る編地１８を示す図５および図６とを比較すると、以下のような差異が明らかになる。
＜第１の差異＞
編地全体におけるポリウレタン弾性糸６１の比率が、従来例に係る編地１８（図５、図６）よりも本実施の形態に係る編地８（図３、図４）の方が、低くなっている。その結果、本実施の形態に係る編地８においては、カバリング糸５１の芯糸であるポリウレタン弾性糸６１の弾性力の影響が強く発現しないで編目構造（ループ形状）が乱れにくく安定して、かつ、置寸も小さくならない。このため、このような薄手のタイツ１を履くときであ
っても、大きく履き口等を広げる必要が低くなり、タイツ１を履いた後に指で伸ばした跡が履きムラとして見えにくくなる。さらに詳しくは、指を履き口に入れて広げながら足を挿入してその広げた部分に力が作用したとしても、ポリウレタン糸の弾性力の影響が強く発現しないので、乱れにくい編目構造（ループ形状）がさらに乱れることがなく、指で伸ばした編目構造（ループ形状）の部分が履きムラとして残りにくい。
【００２６】
＜第２の差異＞
本実施の形態に係る編地８は交編タイプであって、一般的には同じ糸で編成するゾッキタイプよりも、その構造上どうしても横縞が発生しやすい。しかしながら、本実施の形態に係る編地８においては、非弾性糸５２として、ウーリーナイロン糸（ウーリーナイロン糸７２Ａとウーリーナイロン糸７２Ｂとで構成されるウーリーナイロン双糸７２Ｓ）を生糸（なまいと）のナイロン糸７２に添え糸編み（プレーティング編み）しているので、横縞を目立ちにくくすることができる。さらに詳しくは、カバリング糸５１による編み目（コース）が、非弾性糸５２の編み目を（非弾性糸５２側に弾性力がないために）強く引き寄せることができるようになり、カバリング糸５１による編み目が乱れることなく線状に形成されるために、交編タイプの構造上どうしても発生する横縞が目立ちにくくすることができる。また、このように横縞が目立ちにくくすることができることは、非弾性糸５２として用いたウーリーナイロン糸（ウーリーナイロン糸７２Ａとウーリーナイロン糸７２Ｂとで構成されるウーリーナイロン双糸７２Ｓ）の嵩高性により非弾性糸５２の編み目がふわりとして、カバリング糸５１を目立たなくできていることにも起因すると考えられる。
【００２７】
＜第３の差異＞
本実施の形態に係る編地８に用いられる糸には（特にＤＣＹを採用した場合において）撚り（方向性）が存在しないために、タイツ１を編成したときに斜行段が発生しないので、履いたときに縞や段差の見えない一様なタイツ１を実現することができる。なお、ＳＣＹを採用した場合には撚り（方向性）が存在することになるが、非弾性糸５２として用いた生糸（なまいと）のナイロン糸７２およびウーリーナイロン糸（ウーリーナイロン糸７２Ａとウーリーナイロン糸７２Ｂとで構成されるウーリーナイロン双糸７２Ｓ）とにより、斜行段を目立たなくできる。
【００２８】
以上のようにして、本実施の形態に係るタイツによると、編目構造が乱れにくく履きムラが目立ちにくいために透明感がある薄手のタイツを実現することができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２９】
本発明は、下半身用衣類に好適であり、編目構造が乱れにくく履きムラが目立ちにくいために透明感がある点で薄手のタイツ等の下半身用衣類に特に好適である。
【符号の説明】
【００３０】
１  タイツ
２  レッグ部
３  パンティ部
４  股部
５、５１  カバリング糸
６、６１  （カバリング糸を構成する）ポリウレタン弾性糸
７、７１  （カバリング糸を構成する）ナイロン糸
５２  非弾性糸
７２  （非弾性糸を構成する）ナイロン糸
７２Ｓ  （非弾性糸を構成する）ウーリーナイロン双糸
７２Ａ、７２Ｂ  （ウーリーナイロン双糸を構成する）ウーリーナイロン糸
８  平編ループ
【図１】
0006699020.tif 000002
【図２】
0006699020.tif 000003
【図３】
0006699020.tif 000004
【図４】
0006699020.tif 000005
【図５】
0006699020.tif 000006
【図６】
0006699020.tif 000007